(57)【特許請求の範囲】
【請求項１】
フィルムで形成される容器の一端に融着する為の注出用口栓であって、
下方外側に容器と融着し、断面が舟形を有した舟形融着部を有し、
上方中央に容器内部と連通可能な注出口を有し、
前記注出口から融着部にかけて、口栓内部に錐台の側面形状をなす流路を有する口栓本体と、
口栓本体と螺合して閉鎖可能なキャップと、
側面と天面からなり、側面を流路形状に成形した破断可能なバリアフィルム成形体と、
からなる注出用口栓において、
バリアフィルム成形体の側面の断面が蛇腹状であり、
バリアフィルム成形体の側面を流路内側に融着し、バリアフィルム成形体の天面によって流路を閉鎖したことを特徴とする注出用口栓。
【請求項２】
流路内面が円錐台の側面形状であることを特徴とする請求項１に記載の注出用口栓。
【請求項３】
流路内面が角錐台の側面形状であることを特徴とする請求項１に記載の注出用口栓。
【請求項４】
バリアフィルム成形体の端部を口栓本体の樹脂でエッジプロテクトしたことを特徴とする請求項１〜３のいずれかに記載の注出用口栓。
【請求項５】
キャップの螺合反対側に、バリアフィルムを破断可能な突起を有していることを特徴とする請求項１〜４のいずれかに記載の注出用口栓。
【請求項６】
キャップの突起周囲に立ち壁を設けたことを特徴とする請求項５に記載の注出用口栓。
【請求項７】
バリアフィルム成形体との融着部よりも先端の注出口内面に、バリアフィルム成形体の天面よりも大きな内径の開口部を設け、
前記開口部にキャップ内部に設けたインナーリングが挿嵌可能としたことを特徴とする請求項１〜６のいずれかに記載の注出用口栓。
【請求項８】
バリアフィルムとして、アルミニウム箔の両面を熱可塑性樹脂で貼り合せたフィルムとすることを特徴とする請求項１〜７のいずれかに記載の注出用口栓。
【請求項９】
請求項１〜８のいずれかの注出用口栓を有することを特徴とするフィルム製容器。
【発明の詳細な説明】
【技術分野】
【０００１】
本発明は、フィルムで構成された容器の一端に設けた注出用口栓であって、バリア性が高く、かつ、レトルトなどの加熱処理が可能な口栓構造を有する注出用口栓、およびその注出用口栓を有するフィルム製容器に関する。
【背景技術】
【０００２】
従来、フィルムで構成されたフィルム製容器の一端に設けた注出用口栓は、口栓本体根元に係合突起やラチェットの歯などがあって、螺合するキャップと脆弱部で繋がっているタッパーエビデントバンドと係合、あるいは歯合していた。
このキャップは、回動させる時に、前記口栓根元の係合突起やラチェットの歯によって、タッパーエビデントバンドは口栓根元から動かさず、キャップとの脆弱部を破断させて始めて、回動可能とし、開栓することができる。
しかし、このキャップは、開栓するのには脆弱部を引き裂くように破断させる必要があり、大きな力が必要であると共に、開栓後の口栓根元にタッパーエビデントバンドが残り、キャップの開閉の度に手に当たるなどの問題があった。
【０００３】
例えば、特許文献１では、
螺子係合により容器口部に固定されるキャップ本体と、該キャップ本体のスカート部下端に設けられた開封履歴明示バンドとからなる螺子キャップにおいて、
前記バンドは、その上端から下端まで延びている屈折スリットによって、該スリットに対して開栓方向側に位置する開栓旋回部と閉栓方向側に位置する開栓抑制部とに分断されており、
前記屈折スリットは、前記バンドの上端から実質上垂直方向下方に降下した第１の垂直部と、前記バンドの下端から実質上垂直方向上方に延びており且つ第１の垂直部に対して開栓方向側に位置している第２の垂直部と、第１の垂直部の下端と第２の垂直部の上端とを繋ぐ連通部とを備えた屈折形状を有しており、
前記開栓旋回部の屈折スリット近傍部分において、前記バンドは、キャップ本体の開栓方向への回転に際して破断しない第１のブリッジを介して前記スカート部下端に連結されており、
前記開栓抑制部の屈折スリット近傍部分において、（ａ）前記バンドの内面には、閉栓方向への回転は許容するが、容器口部の外面に形成されている突起部との当接によって開栓方向への回転を制限するラチェットが形成され、（ｂ）前記バンドの上面にはストッパー片が形成されていると共に、
前記ストッパー片は、開栓方向側の側面が実質上直立し且つ閉栓方向側の側面が閉栓方向に向かって上方から下方に傾斜した形状を有しているとともに、前記スカート部の下端面には、該ストッパー片に対応する形状を有し且つ該ストッパー片を収容している係合用凹部が形成されており、
前記開栓旋回部と開栓抑制部とは、キャップ本体の開栓方向への回転に際して破断可能な第２のブリッジによって互いに連結されていることを特徴とする螺子キャップを提案している。
【０００４】
この方法は、キャップにバリア性を持たせることが出来ないので、長期保存に向かない。
また、インナーリング外周壁とスパウト上部の内周壁が接することによって密封しているが、この密封構造だけでは、レトルト製品に使用できる容器には使用できない問題があった。
【先行技術文献】
【特許文献】
【０００５】
【特許文献１】特許第４０１８５０８号公報
【発明の概要】
【発明が解決しようとする課題】
【０００６】
そこで、バリア性が高く、長期保存するレトルト容器としても使用可能な口栓を得ることが本発明の課題である。
【課題を解決するための手段】
【０００７】
本発明の請求項１の注出用口栓は、
フィルムで形成される容器の一端に融着する為の注出用口栓であって、
下方外側に容器と融着し、断面が舟形を有した舟形融着部を有し、
上方中央に容器内部と連通可能な注出口を有し、
前記注出口から融着部にかけて、口栓内部に錐台の側面形状をなす流路を有する口栓本体と、
口栓本体と螺合して閉鎖可能なキャップと、
側面と天面からなり、側面を流路形状に成形した破断可能なバリアフィルム成形体と、
からなる注出用口栓において、
バリアフィルム成形体の側面の断面が蛇腹状であり、
バリアフィルム成形体の側面を流路内側に融着し、バリアフィルム成形体の天面によって流路を閉鎖したことを特徴とする注出用口栓である。
【０００８】
本発明の請求項１の注出用口栓は、錐台の側面形状をなす流路を有し、そこに、バリアフィルム成形体を融着し、バリアフィルム成形体の天面によって流路を閉鎖しているので、非常に高いバリア性を確保できる。その為、レトルト殺菌すれば、常温における長期保存が可能である。また、バリアフィルム成形体の側面の断面が蛇腹状なので、バリア層を無理させないで成形加工できるので、生産性が高く、かつ、高いバリア性が確保できる。
【０００９】
また、本発明の請求項２の注出用口栓は、流路内面が円錐台の側面形状であることを特徴とする請求項１に記載の注出用口栓である。
【００１０】
本発明の請求項２の注出用口栓は、流路内面が円錐台の側面形状なので、バリアフィルムの成形を成形し易い円錐台で加工できるので、生産性が高く、かつ、高いバリア性が確保できる。
【００１１】
また、本発明の請求項３の注出用口栓は、流路内面が角錐台の側面形状であることを特徴とする請求項１に記載の注出用口栓である。
【００１２】
本発明の請求項３の注出用口栓は、流路内面が角錐台の側面形状なので、バリアフィルムの成形を成形し易い角錐台で加工できるので、生産性が高く、かつ、高いバリア性が確保できる。
【００１５】
本発明の請求項４の注出用口栓は、バリアフィルム成形体の端部を口栓本体の樹脂でエッジプロテクトしたことを特徴とする請求項１〜３のいずれかに記載の注出用口栓である。
【００１６】
本発明の請求項４の注出用口栓は、バリアフィルム成形体の端部を口栓本体の樹脂でエッジプロテクトするので、断面が蛇腹状であっても、高いバリア層を確保できる。
【００１７】
本発明の請求項５の注出用口栓は、キャップの螺合反対側に、バリアフィルムを破断可能な突起を有していることを特徴とする請求項１〜４のいずれかに記載の注出用口栓である。
【００１８】
本発明の請求項５の注出用口栓は、キャップの螺合反対側に、バリアフィルムを破断可能な突起を有しているので、バリアフィルムを容易に破断し、開口する事ができる。
【００１９】
本発明の請求項６の注出用口栓は、キャップの突起周囲に立ち壁を設けたことを特徴とする請求項５に記載の注出用口栓である。
【００２０】
本発明の請求項６の注出用口栓は、キャップの突起周囲に立ち壁を設けたので、突起で怪我をすることが無く、安全に容器を開閉する事ができる。
【００２１】
本発明の請求項７の注出用口栓は、バリアフィルム成形体との融着部よりも先端の注出口内面に、バリアフィルム成形体の天面よりも大きな内径の開口部を設け、
前記開口部にキャップ内部に設けたインナーリングが挿嵌可能としたことを特徴とする請求項１〜６のいずれかに記載の注出用口栓である。
【００２２】
本発明の請求項７の注出用口栓は、バリアフィルム成形体の天面よりも先端側に、キャップのインナーリングを挿嵌することができるので、確実に液漏れがなく止栓することができる。
【００２３】
本発明の請求項８の注出用口栓は、バリアフィルムとして、アルミニウム箔の両面を熱可塑性樹脂で貼り合せたフィルムとすることを特徴とする請求項１〜７のいずれかに記載の注出用口栓である。
【００２４】
本発明の請求項８の注出用口栓は、バリアフィルムとして、アルミニウム箔の両面を熱可塑性樹脂で貼り合せているので、絞り成形しやすく、かつ、形状を維持し易いので、バリア性も高く、かつ生産性が高く、使い易い。
【００２５】
本発明の請求項９の注出用口栓は、以上の請求項１〜８のいずれかの注出用口栓を有することを特徴とするフィルム製容器である。
【図面の簡単な説明】
【００２６】
【図１】本発明の注出用口栓の外観を示す斜視図である。
【図２】本発明の注出用口栓をフィルム製容器に融着させて使用する実施形態を示す例で、その外観を示す斜視図である。
【図３】本発明の注出用口栓で、キャップを外した状態の平面図と、正面図、および右側面図である。
【図４】本発明の注出用口栓で、開封前の閉口状態を示す縦断面図と、バリアフィルム下端の被覆状態を示す横断面図である。
【図５】本発明の注出用口栓で、キャップを閉めた未開封の状態を示す縦断面図と、開封の工程を示す縦断面図である。
【図６】本発明の注出用口栓で、内容物を注出する状態の注出口と、再キャップした状態を示す縦断面図である。
【図７】本発明の注出用口栓に用いる周縁蛇腹状のバリアフィルムの成形前と成形状態を示す斜視図である。
【図８】本発明の注出用口栓に用いる周縁折り込みタイプのバリアフィルムの成形前と成形状態を示す斜視図である。
【発明を実施するための形態】
【００２７】
以下、本発明の注出用口栓の実施形態例について、図を用いて詳細に説明する。
図１は本発明の注出用口栓で、その外観を示す斜視図である。
この注出用口栓は、フィルム製容器の一端に融着して用いられる注出用口栓１で、上方に注出口が形成されていて、その下方にフィルムと融着しやすいように左右が尖り、中央が丸く膨らんだ舟形形状の舟形融着部２を有し、射出成形によって製造される。
舟形融着部２の融着部には、フィルム端部に平行な融着部が形成され、確実に融着できるようになっている。
また、上面の注出口にはキャップ５が螺合されている。
【００２８】
図２は、注出用口栓１がフィルム容器に融着された状態を示す斜視図である。
注出用口栓１の断面が舟形形状をした舟形融着部２は、フィルム容器本体６の表フィルム６１と裏フィルム６２との間に挟まれて融着されている。この為、注出用口栓１の注出孔は表フィルム６１と裏フィルム６２との間に隙間を設けて、融着されている。
【００２９】
図３は、注出用口栓１のキャップを外した状態の平面図と、正面図、および右側面図である。
注出用口栓１のフランジ１０には、中央に注出口３があり、注出口３外側にネジ部３２が設けられている。上記舟形融着部２と注出口３を通して、内部に注出孔３０が走って、容器の内外を貫通するように設けられている。
内部の注出孔３０は、テーパーを持った傾斜面でできている。
舟形融着部２の外表面には、横にヒケ防止凹部（肉盗み）２１を走らせ、表面が成形によってヒケて融着力が低下しないようになっている。また、左右端部には、薄肉で、尖るようなリブ２２を設け、表裏のフィルムが重なり合い始める境界で、隙間が発生しないように設計している。
【００３０】
図４は、フィルム容器に融着された本発明の注出用口栓で、開封前の状態を示した。
図４−１はその縦断面図、図４−２は図４−１のＸ−Ｘ断面における横断面図である。
注出用口栓１の注出口３から舟形融着部２に掛けて、内部に注出孔３０が通っているが、その注出孔３０は、テーパーを持った傾斜面でできている。
しかも、この傾斜面を持った注出孔３０内面と注出孔先端とは、バリアフィルム成形体４によって覆われている。
また、注出口３先端は、注出面３１が一段下がって、周囲が立ち上がった注出側壁３３が設けられており、その側壁の内側面にキャップのインナーリングが挿嵌可能になっている。
【００３１】
バリアフィルム成形体４は側面の周囲では、折り曲げたり、絞ったりして、形状をキープしながら、バリア層を保っているが、端面近傍では中間層４１の金属層やバリア樹脂層が露出している。バリア層が内容物に接すると腐食などにより劣化し、あるいは内容物への溶出も考えられる。
そこで、注出用口栓の射出成形樹脂によって、エッジをプロテクトして、バリアフィルム成形体４端面の中間層が容器内部へ露出しないようにしている。
【００３２】
図５−１は、キャップを閉めた未開封の状態を示す縦断面図である。
注出口３先端は、注出面３１が一段下がって、周囲が立ち上がった注出側壁３３が設けら
れており、その注出側壁の内側面にキャップ５のインナーリング５１が挿嵌されている。合わせて、図のように、コンタクトリング５２を設け、注出側壁３３の上端に当接しても良い。
注出用口栓１にバリア性を持たせ、合わせてこのような構造にすることによって、フィルム容器のバリア性が向上し、レトルト容器としても使用できる。
【００３３】
図５−２は、注出用口栓１の開封の工程を示す縦断面図である。
図５−１のように注出用口栓１に螺合していたキャップ５を一端外し、上下逆さにして、キャップ螺合用ネジとは反対側を、注出用口栓１に被せる。
キャップ５の螺合用ネジとは反対側には、バリアフィルムを破断可能な突起５３が設けられている。また、その突起を囲むように、誘導側壁５４が設けられている。
この誘導側壁５４は、突起５３が手に刺して怪我をしないようにする役目、あるいは、突起５３に物が当たって先端が変形することを防止する役目がある。それらの役目と共に、キャップ外側の凹部に、注出口３を誘導し、突起５３を確実に注出口３の注出孔３０を覆うバリアフィルム成形体４の天面４４に当てて、破断できるようにする役目を負っている。
従って、誘導側壁５４内径は、注出口のネジ部外形よりもわずかに大きな径にしておく。バリアフィルム成形体４の天面４４に当った突起５３は、バリアフィルムを破断させ、開封させる。
【００３４】
図６−１は、内容物を注出する状態の注出用口栓１の状態を示している。
内容物を押し出すと、開封されたバリアフィルム成形体の天面４４は、外側に跳ね上げられた状態になる。
図６−２は、開封した注出用口栓１にキャップ５を螺合した状態を示す縦断面図である。バリアフィルム成形体の天面４４が外側に跳ね上げられた状態であっても、問題なくキャップ５を閉めることができる。
【００３５】
図７は本発明の注出用口栓に用いる周縁蛇腹状のバリアフィルムの成形前と成形状態を示す斜視図である。
予め、側面を立ち上げた時に注出孔３０内面に沿う形状から、外形を割り出し、折り目線と外形抜きを行なってから、天面４４が平らに形状を保ちながら、成形体状に絞り込んで、形状を作る。
図７−１は円錐台形状のバリアフィルム成形体の素材シートの外形と折り目の図で、図７−２は、図７−１の素材シートの側面部分をひだ状に折って立ち上げた成形体で、ペットカップの形状である。
また、図７−３は角錐台形状のバリアフィルム成形体の素材シートの外形と折り目の図で、図７−４は、図７−１の素材シートの４隅の角をひだ状に折って立ち上げた成形体で、角型ペットカップの形状に成形している。
これらバリアフィルムの成形は、工程が増えるが、図８のように、周縁折り込みタイプにしても良い。図８−１は円錐台形状のバリアフィルム成形体の素材シートの外形と折り目の図、図８−２はその円錐台に折り込んだ図である。また、図８−３は角錐台形状のバリアフィルム成形体の素材シートの外形と折り目の図、図８−４はその角錐台に折り込んだ図である。
【００３６】
これらのペットカップ形状のバリアフィルム成形体は、図４でも示すように、中間層４１に金属箔やバリア性樹脂フィルムを用い、外層４２や内層４３に融着可能な熱可塑性樹脂層を用いた、多層フィルムからできている。
中間層４１に用いられる金属箔としては、１２μｍ以上２００μｍ以下の厚みを持ったアルミニウム箔が良い。１２μｍ未満であると、形状を保持する性能が低下する。また、２００μｍ以上の場合、単なる突起による破断が難しくなり、開封性能が低下する問題が発生する。その為、アルミニウム箔は、１２μｍ以上２００μｍ以下の厚みとする。その他、金箔、銅箔、錫箔、などの展延性のある箔も使用できるが、高価であり、また、内容物との反応する問題などがあり、アルミニウム箔が好ましい。
その他、内容物がアルミニウムと反応するなど、中間層として使用できない場合には、中間層にバリア性樹脂フィルムを使用する。この時は、ポリビニリデン樹脂フィルム、エチレン・酢酸ビニル共重合体鹸化物フィルム、芳香族ポリアミド系樹脂フィルムなどが考えられる。これらは、アルミニウム箔と比べ、破断しにくいなどの問題があり、特にエチレン・酢酸ビニル共重合体鹸化物フィルムは硬く、折れ易い、延びにくい、形状が元のフィルム形状に戻り易いなどの問題がある。この場合には、遠赤外線などで加熱してから成形し、強制冷却する必要がある。又、天板部分のバリア樹脂層が破断しにくいので、厚みを樹脂によって最適厚みに調整することが好ましい。
【００３７】
バリアフィルム成形体の外層や内層に使用する融着可能な熱可塑性樹脂層としては、直鎖状低密度ポリエチレン、高圧法低密度ポリエチレン、中密度ポリエチレン、エチレン・ポリプロピレン共重合体、ポリプロピレン、エチレン・酢酸ビニル共重合体、無水フタル酸変性ポリエチレン、無水フタル酸変性ポリプロピレン、アイオノマー樹脂、又は、それらの混合物などが考えられる。
【００３８】
また、注出用口栓としては、容易にフィルム容器の内面と融着可能で、内容物との相性も良く、レトルト適性もあって、長期保存に適した素材であることが求められ、直鎖状低密度ポリエチレン、高圧法低密度ポリエチレン、中密度ポリエチレン、高密度ポリエチレン、エチレン・ポリプロピレン共重合体、ポリプロピレン、アイオノマー樹脂、又は、それらの混合物などが考えられる。
これらの樹脂を射出成形金型に射出して成形することができる。
【００３９】
キャップは、注出用口栓とは、異樹脂であることが望ましく、射出成形で製造できる。素材としては、直鎖状低密度ポリエチレン、中密度ポリエチレン、高密度ポリエチレン、エチレン・ポリプロピレン共重合体、ポリプロピレン、ポリメチルペンテン、アクリロニトリル、アクリロニトリル・スチレン共重合体、アクリロニトリル・ブタジエン・スチレン共重合体、などが考えられる。
【００４０】
本発明のフィルム製容器に用いる表フィルムや裏フィルムは、内面側に融着可能な熱可塑性樹脂を用い、内容物の保存性や強度が確保できれば、どのような構成でも問題はない。
例えば、外側から、
ポリエチレンテレフタレート／ポリエチレン、
ポリアミド／ポリエチレン／無機酸化物蒸着ポリエチレンテレフタレート／ポリエチレン、
ポリエチレンテレフタレート／ポリエチレン／エチレン酢酸ビニル共重合体鹸化物／ポリエチレン、
エチレン酢酸ビニル共重合体鹸化物／ポリアミド／接着樹脂／ポリエチレン、
ポリエチレンテレフタレート／ポリエチレン／接着樹脂／ポリアミド／接着樹脂／ポリエチレン、
ポリエチレンテレフタレート／ポリアミド／接着樹脂／ポリエチレン／アルミ箔／ポリエチレン、
などの一般的な構成が考えられる。
これらのフィルムは、通常のドライラミネーション機、エクストルーダーラミネート機などを使用して貼り合わせたり、多層インフレーション成形機などで製造することができる。
【００４１】
本発明の注出用口栓、およびその口栓を融着したフィルム製容器は、以上のようなもので、注出用口栓内面に金属箔層やバリア樹脂層を積層出来るので、バリア性が向上し、内容物の保護性能が高い。また、バリアフィルム成形体の端面のエッジを射出成形樹脂で被覆するので、バリア層の劣化が起きにくい。
さらに、インナーリングのみで密封するのではなく、バリアフィルム成形体によっても密封する構造なので、ボイルやレトルトによる加熱が可能である。
その上、バリアフィルム成形体の天面の破断の有無によって、バージンの有無が判明できると共に、キャップのエビデントバンドに頼らない構造の為、開封時にごみが出ないメリットがあるなど、本発明の注出用口栓、およびその口栓を融着したフィルム製容器は、メリットが大きい。
【符号の説明】
【００４２】
１・・・・・・・・・注出用口栓
１０・・・・・・・・フランジ
２・・・・・・・・・舟形融着部
２１・・・・・・・・ヒケ防止凹部
２２・・・・・・・・リブ
３・・・・・・・・・注出口
３０・・・・・・・・注出孔
３１・・・・・・・・注出面
３２・・・・・・・・ネジ部（注出口のネジ部）
３３・・・・・・・・注出側壁
４・・・・・・・・・バリアフィルム成形体
４１・・・・・・・・中間層
４２・・・・・・・・外層
４３・・・・・・・・内層
４４・・・・・・・・天面
５・・・・・・・・・キャップ
５１・・・・・・・・インナーリング
５２・・・・・・・・コンタクトリング
５３・・・・・・・・突起（破断可能な突起）
５４・・・・・・・・誘導側壁
６・・・・・・・・・フィルム容器本体
６１・・・・・・・・表フィルム
６２・・・・・・・・裏フィルム
【図１】
0006662051.tif 000002
【図２】
0006662051.tif 000003
【図３】
0006662051.tif 000004
【図４】
0006662051.tif 000005
【図５】
0006662051.tif 000006
【図６】
0006662051.tif 000007
【図７】
0006662051.tif 000008
【図８】
0006662051.tif 000009